(57)【要約】【課題】少ない個数の漏洩検出センサーで漏洩系統または漏洩機器を短時間で特定できる漏洩検出支援装置を提供する。【解決手段】溶液移送系統のプラントの圧力、流量、物質特性、移送機器の運転状態などのプロセス情報から溶液の移送系統を特定すると共に、複数のブロック毎に設置した漏洩検出センサーの検出値を警報判定手段２に入力して警報の有無を判定し、表示装置５に警報を表示する漏洩検出支援装置２０であって、漏洩検出信号と漏洩検出センサーが検出した温度、物質特性と前記プロセス情報及び移送系統を移送判定手段Ｄ１により比較判断し、さらに漏洩機器特定手段Ｄ２で漏洩発生の可能性のある移送系統および移送機器を特定できるので、少ない漏洩検出センサーで漏洩系統または漏洩機器を短時間で特定でき、かつ漏洩検出センサーが少なくなった分、スペースやコストを削減できる。【選択図】図１
2008139093.tif 000002
【特許請求の範囲】
【請求項１】
溶液の移送系統のプラントのプロセス情報から溶液の移送系統を特定すると共に、漏洩検出センサーを複数のブロック毎に設置し、前記漏洩検出センサーの検出値を警報判定手段に入力して警報か否かを判定し、警報状態であれば表示装置に警報を表示する漏洩検出支援装置であって、前記漏洩検出センサーからの漏洩検出信号および前記漏洩検出センサーが検出した温度、物質特性と前記プロセス情報及び移送系統を比較判断する移送判定手段と、前記移送判定手段により漏洩の発生している可能性のある移送系統およびその移送系統下にある移送機器および漏洩液を特定する漏洩機器特定手段を有する漏洩検出判断部とを備えたことを特徴とする漏洩検出支援装置。
【請求項２】
請求項１に記載の漏洩検出支援装置において、溶液の移送系統のプラントのプロセス情報と漏洩の発生している可能性のある移送系統およびその移送系統下にある移送機器、漏洩液の液性の情報を同時に確認できるように表示し、容易に移送系統およびその移送系統下にある移送機器あるいは漏洩液を特定する漏洩情報確定部とを備えたことを特徴とする漏洩検出支援装置。
【請求項３】
請求項２に記載の漏洩検出支援装置において、漏洩液が特定された移送系統およびその移送系統下にある移送機器の漏洩停止手順を表示するとともに特定された移送系統の溶液保有量を移送機器の配置・形状・運転状態・流量、移送液の供給槽及び受け入れ槽の液位から算出し、確認できるように表示する漏洩停止情報表示部を備えたことを特徴とする漏洩検出支援装置。
【請求項４】
請求項２に記載の漏洩検出支援装置において、漏洩液が特定された移送系統およびその移送系統下にある移送機器の漏洩液の処理に必要な処理溶液の液性・液量、供給槽、移送機器などの処理溶液情報と漏洩液を回収するための回収手順、回収槽・移送機器・移送能力など漏洩液を回収に必要な情報を確認できるように表示する漏洩液復旧手順表示部とを備えたことを特徴とする漏洩検出支援装置。
【発明の詳細な説明】
【技術分野】
【０００１】
本発明は、化学プラント等において溶液の漏洩を検出するに好適な漏洩検出支援装置に関する。
【背景技術】
【０００２】
化学プラント等においては溶液の漏洩を検出する漏洩検出システムが用いられている。
従来の漏洩検出システムは、ポンプやバルブなどの移送機器に漏洩検出用の専用センサーを設置して漏洩を検出していたが、このような漏洩検出システムでは、漏洩を検出するためのセンサー数が増加する傾向にあるため、センサーを少なくした場合、プラント構成機器のどの機器からどのような溶液が漏洩したのかを特定するのに時間がかかっており、また、漏洩量が少ない場合はセンサーが作動せず、漏洩を検知できない場合があるなどの問題が生じていた（特許文献１）。
【０００３】
従来のプロセス監視装置による漏洩検出を図７のブロック図を参照して説明する。  
図７に示すように、従来のプロセス監視装置１０は、プロセス入力手段１と警報判定手段２と警報表示手段３と画面表示手段４と表示装置５とから構成されており、図示しない漏洩検出センサーによる検出値はプロセス入力手段１を介して警報判定手段２に入力され、警報判定手段２で警報か否かを判定し、警報状態であれば警報表示手段３で警報データを作成し、画面表示手段４で表示装置５に警報表示していた。
【０００４】
通常、プロセス入力手段に検出値を入力する漏洩検出センサーは、移送機器毎または複数の移送機器毎に設置される場合が多くその個数も多くなるため、漏洩機器の特定に時間がかかっていた。そこで、少ない漏洩検出センサーで短時間に漏洩系統または漏洩機器が特定できる漏洩検出支援装置が求められており、また、漏洩発生後の処置についても、プラントが大規模化するに従って、移送機器数が増加し系統が複雑化する傾向になるため、速やかに漏洩停止操作が実施可能で、漏洩の影響を最小限に抑え、漏洩復旧時間の短縮が可能な漏洩検出支援装置が求められていた。
【特許文献１】特開平３−１４８０３１号公報
【発明の開示】
【発明が解決しようとする課題】
【０００５】
前述したように、従来の漏洩検出方法によれば、漏洩の検出と漏洩機器の特定のために機器毎に漏洩検出センサーを設ける必要があるが、それでは設置スペースやコストが増加するという課題が生じる。また、漏洩検出センサーの設置状況によっては漏洩系統または漏洩機器の特定に時間がかかるという課題も生じる。
【０００６】
漏洩の検出は漏洩検出センサーの作動情報が警報として提供されることが一般的であり、漏洩検出センサーが作動した場合で複数の機器毎に漏洩検出センサーが設置されている場合では、漏洩の可能性のある系統や、機器を特定する作業は、オペレータが系統の運転画面等で機器の運転状態を確認し、現場の確認が可能であれば、これらの情報を併せて漏洩発生系統および漏洩機器を総合判断して決定していたが、情報収集と判断に時間がかかるという課題があった。
【０００７】
また、漏洩検出センサーが作動した場合に、上流系統の機器停止操作を含めた漏洩停止操作が必要となる場合があるが、漏洩停止手順を確認し漏洩を停止操作するまでに時間がかかり、さらに、漏洩系統の溶液保有量を算出するために溶液の移送量や機器への残量並びに機器の形状などの情報を収集する必要があり、これらの情報収集と判断、および溶液保有量の計算にも時間がかかるという課題があった。
【０００８】
また、漏洩検出センサーが作動した場合、例えば漏洩液を何も処理しない状態のまま回収することが難しく、中和処理等が必要な場合、中和に必要な処理溶液の液性・液量や供給槽および移送機器などの処理溶液情報と、漏洩液を回収するための回収手順や回収槽・移送機器・移送能力の確認などのために多くの情報を収集する必要があり、これら情報の収集と判断に時間がかかり、漏洩液の回収までに時間がかかるという課題があった。
【０００９】
本発明は上記課題を解決するためになされたもので、その課題は少ない個数の漏洩検出センサーで漏洩の検出と漏洩の特定が可能で、漏洩系統または漏洩機器を短時間で特定できる漏洩検出支援装置を提供することにある。
【課題を解決するための手段】
【００１０】
本発明は、上記課題を達成するために溶液の移送系統のプラントのプロセス情報から溶液の移送系統を特定すると共に、漏洩検出センサーを複数のブロック毎に設置し、前記漏洩検出センサーの検出値を警報判定手段に入力して警報か否かを判定し、警報状態であれば表示装置に警報を表示する漏洩検出支援装置であって、前記漏洩検出センサーからの漏洩検出信号および前記漏洩検出センサーが検出した温度、物質特性と前記プロセス情報及び移送系統を比較判断する移送判定手段と、前記移送判定手段により漏洩の発生している可能性のある移送系統およびその移送系統下にある移送機器および漏洩液を特定する漏洩機器特定手段とを有する漏洩検出判断部を備えたことを特徴とする。
【発明の効果】
【００１１】
本発明によれば、少ない漏洩検出センサーで漏洩の検出と機器の特定が可能となるので、漏洩系統または漏洩機器を短時間で特定することができる。また、漏洩検出センサーが少なくなった分設置スペースやコストが削減できる。
【発明を実施するための最良の形態】
【００１２】
以下、本発明を実施するための最良の形態について、図を参照して説明する。  
図１は、本発明の第１の実施形態である漏洩検出支援装置のブロック構成図である。  
本実施形態の漏洩検出支援装置２０が図７の従来のプロセス監視装置と異なる構成は、移送情報Ｆ１及び機器情報Ｆ２と移送判定手段Ｄ１及び漏洩機器特定手段Ｄ２を有する漏洩判断部Ｄ１０が追加された構成となっている点であり、その他の構成は図７の従来のプロセス監視装置と同一であるので、同一構成部分には同一符号を付して説明する。
【００１３】
図１において、本実施形態の漏洩判断部Ｄ１０は、プロセス入力手段１から入力される溶液の移送系統のプラントの圧力、流量、密度、温度、物質特性、移送機器の運転状態などのプロセス情報と移送情報Ｆ１に予め記憶された溶液の移送開始、完了の条件を比較することにより溶液の移送系統を選択し、選択した移送系統内の移送機器間の収支量を払い出し側、受け入れ側それぞれに機器情報Ｆ２に記憶するとともに、画面表示手段４に通知する移送判定手段Ｄ１と、プロセス入力手段１から入力される前記プロセス情報と漏洩検出センサーからの漏洩検出信号および漏洩検出センサーが検出した温度、物質特性と警報判定手段２から入力される漏洩警報と、移送判定手段Ｄ１で特定した移送系統と、機器情報Ｆ２に記憶されている移送系統およびその移送系統下にある移送機器に関する移送溶液の温度、物質特性を比較することにより、漏洩液の漏洩の発生している可能性のある移送系統およびその移送系統下にある移送機器および漏洩液を特定する漏洩機器特定手段Ｄ２とから構成されている。なお、図１は本発明の最も基本的な漏洩検出支援装置のブロック構成図を示すものである。
【００１４】
次に、本実施形態の漏洩検出支援装置の漏洩検出支援の処理の流れを図１、図２及び図３を参照して説明する。
図２に示すように、溶液の移送系統上の機器をＢ１〜Ｂ５のようなブロックに分割し、ブロックＢ４に漏洩検出センサー１ＳＫと漏洩検出センサー２ＳＸを設置する。例えば、ブロックＢ２のタンクＴＰ２の溶液をブロックＢ４のタンクＴ１に移送する場合、送液側のバルブＴＶ２が“開”で、受け入れ側のバルブＶ１が“開”でポンプＰ１が運転中という条件で溶液の移送中と判断する。移送に伴って、送液側のセンサーＴＳ２の温度、圧力、流量、液位、密度、液性などの情報と、受け入れ側センサーＳ１の温度、圧力、流量、液位、密度、液性が変化し、ポンプＰ１が停止、バルブＴＶ２およびＶ１が“閉”することにより、溶液移送が完了する。  
移送完了時は、これらの物質移動に関する収支を図１の機器情報Ｆ２に記憶する。
【００１５】
通常、計算機を用いて、移送の開始、完了および送液側、受け入れ側のプロセスを監視し、その収支を運転情報として提供することは一般的であるが、移送中に漏洩検出センサー１ＳＫと漏洩検出センサー２ＳＸが漏洩を検出し、漏洩警報が発生した場合、例えば、図２において、ブロックＢ２のタンクＴＰ２には、１０℃の揮発性溶液Ｅ２が入っており、ブロックＢ３のタンクＴＰ３には５０℃の不揮発性溶液Ｅ３が入っている場合、ポンプＰ１が運転中で、バルブＴＶ２、Ｖ１が“開”であり、ポンプＰ２が停止中で、バルブＴＶ３、Ｖ２が“閉”の状態であり、漏洩検出センサー１ＳＫが揮発性物質を検出し、漏洩検出センサー２ＳＸが漏洩液の温度を検出し１０℃近傍であった場合は、ブロックＢ４のポンプＰ１、またはバルブＶ１、またはタンクＳ１、またはブロックＢ４内の該当する系統配管での漏洩の可能性が高いと判断し、これらの情報を漏洩警報と併せて画面に表示する（図３ケース３）。前記ケース３において、例えば漏洩検出センサー１ＳＫが揮発性物質を検出しない場合でも、漏洩検出センサー２ＳＸが漏洩液の温度を検出し１０℃近傍であった場合は、ブロックＢ４のポンプＰ１、またはバルブＶ１、またはタンクＳ１、またはブロックＢ４内の該当する系統配管での漏洩の可能性が高いと判断し、これらの情報を漏洩警報と併せて画面に表示する（図３ケース１）。
【００１６】
また、ブロックＢ４のポンプＰ１が停止中で、バルブＴＶ２、Ｖ１が“閉”であり、ブロックＢ４のポンプＰ２も停止中で、バルブＴＶ３、Ｖ２が“閉”であり、移送の条件が成立しない場合において、漏洩検出センサー１ＳＫが揮発性物質を検出し漏洩検出センサー２ＳＸが漏洩液の温度を検出した場合は、貯蔵中の溶液漏洩が考えられる。この場合は、タンクＴ１のセンサーＳ１およびタンクＴ２のセンサーＳ２から入力される液位の変化、タンクＴ１のセンサーＳ１から入力される温度と漏洩検出センサー２ＳＸが検出した温度、タンクＴ２のセンサーＳ２から入力される温度と漏洩検出センサー２ＳＸが検出した温度、および図１の機器情報Ｆ２に記憶されているブロックＢ４のタンクＴ１、Ｔ２の液性と漏洩検出センサー１ＳＫが検出した液性を比較し、温度差が一定範囲内にあり、かつ、揮発性のある液体という２つの条件が一致するため、ブロックＢ４のポンプＰ１、またはバルブＶ１、またはタンクＳ１、またはブロックＢ４内の該当する系統配管での漏洩の可能性が高いと判断し、これらの情報を漏洩警報と併せて画面に表示する（図３ケース４）。
【００１７】
通常、１つのブロックには、異なった液性をもった系統を配置し、２重化された系統などは、別のブロックに分けてブロック化すると良い。また、漏洩の判断条件は、通常、運転員がプロセスのパラメータを見て漏洩系統を特定する際に用いる、パラメータをできる限り条件として計算機に記憶させておき、判断条件とする方が検出精度を高めることができる。これにより１つのブロックに複数の移送系統がある場合でも、漏洩の発生している可能性のある系統を計算機で判断し、漏洩警報発生時の情報として提供する。
【００１８】
本実施形態によると、複数のプロセス情報から溶液の移送系統を特定し、前記プロセス情報、漏洩検出センサーからの漏洩検出信号および漏洩検出センサーが検出した温度、物質特性、漏洩警報および前記移送系統と、予め記憶されている移送系統およびその移送系統下にある移送機器に関する移送溶液の温度、物質特性を比較することにより、前記移送系統の中から漏洩の発生している可能性のある移送系統を特定することができる。したがって、少ない漏洩検出センサーで漏洩の検出と機器の特定が可能となるので、漏洩系統または漏洩機器を短時間で特定することができる。また、漏洩検出センサーが少なくなった分設置スペースやコストが削減できる。
【００１９】
図４は、本発明の第２の実施形態である漏洩検出支援装置のブロック構成図である。
本実施形態の漏洩検出支援装置２０が図１の第１の実施形態の漏洩検出支援装置と異なる構成は、漏洩表示確定手段Ｄ３と物質情報Ｆ３を有する漏洩情報確定部Ｄ２０が追加された構成となっている点であり、その他の構成は図１の第１の実施形態と同一であるので、同一構成部分には同一符号を付して説明する。
【００２０】
図４において、本実施形態の漏洩情報確定部Ｄ２０は、プロセス入力手段１からの溶液の移送系統のプラントの圧力、流量、密度、温度、物質特性、移送機器の運転状態などのプロセス情報と、漏洩機器特定手段Ｄ２からの移送系統およびその移送系統下にある移送機器、漏洩液の情報と、物質情報Ｆ３に予め記憶されている移送系統および移送機器を比較することにより一致する移送機器および溶液の情報を物質情報Ｆ３から取り出し同時に確認できるように配置して画面表示手段４を介して表示装置５に表示し、前記情報を運転員が確認し、その正否を表示装置５から入力することにより移送系統およびその移送系統下にある移送機器、漏洩液を確定する漏洩表示確定手段Ｄ３を備えている。
【００２１】
次に、本実施形態の漏洩検出支援装置の漏洩検出支援の処理の流れを図２及び図４を参照して説明する。  
図２において、例えば送液側のブロックＢ２のタンクＴＰ２には１０℃の揮発溶液Ｅ２が入いっており、ブロックＢ３の送液側タンクＴＰ３には５０℃の不揮発性溶液Ｅ３が入っている場合、各溶液は事前のサンプリング分析により、その溶液特性が詳細に分析され、計算機内に図４の物質情報Ｆ３として蓄積されている場合が多い。漏洩が発生した場合、漏洩した液体の特性を早急に把握することが重要であり、これらの情報と漏洩表示確定手段Ｄ３で確定した移送系統およびその移送系統下にある移送機器、漏洩液と図４の物質情報Ｆ３に予め記憶されている移送系統および移送機器を比較することにより一致する溶液特性を選択し、前記系統の送液側のセンサーＴＳ２の温度、圧力、流量、液位、密度、液性などの情報と受け入れ側センサーＳ１の温度、圧力、流量、液位、密度、液性、およびセンサーＴＳ３の温度、圧力、流量、液位、密度、液性などの情報と受け入れ側センサーＳ２の温度、圧力、流量、液位、密度、液性漏洩検出センサー１ＳＫと漏洩検出センサー２ＳＸ、ポンプＰ１，Ｐ２の運転状態、バルブＴＶ２，ＴＶ３とＶ１，Ｖ２の開閉状態などのプロセス情報を図４の画面表示手段４を介して表示装置５上に同時に表示し、計算機の特定結果の正否判断を運転員に促すと良い。通常、現場確認が可能な場合は、現場からの情報と漏洩液受け皿Ｕ１の漏洩液の分析が可能な場合はこの分析結果などと併せて最終的に漏洩の発生している系統と漏洩液を運転員に確定させる。この時、温度、圧力、流量、液位、密度、液性、液性漏洩検出センサー１ＳＫと漏洩検出センサー２ＳＸのプロセス情報は一定周期で最新値に更新すると判断がしやすい。
【００２２】
本実施形態によると、第１の実施形態で漏洩の発生している可能性のある移送系統を特定した際のプロセス情報と特定した移送系統、漏洩検出センサーの情報と特定した移送系統下にある移送機器、漏洩液の液性の情報を同時に確認できるように配置して表示し、前記情報を運転員が確認することにより漏洩の発生している移送系統およびその移送系統下にある移送機器、漏洩液を確定することができる。したがって、予め漏洩系統を特定し、特定した際の情報を表示することにより、運転員に総合判断を促すことで漏洩系統を確定することが可能となり、漏洩の情報収集と判断を短時間で実施することができる。
【００２３】
図５は、本発明の第３の実施形態である漏洩検出支援装置のブロック構成図である。
本実施形態の漏洩検出支援装置２０が図４の第２の実施形態の漏洩検出支援装置と異なる構成は、漏洩停止手順表示手段Ｄ４を有する漏洩停止情報表示部Ｄ３０が追加された構成となっている点であり、その他の構成は図２の第４の実施形態と同一であるので、同一構成部分には同一符号を付して説明する。
【００２４】
図５において、本実施形態の漏洩停止情報表示部Ｄ３０は、漏洩表示確定手段Ｄ３で確定された移送系統およびその移送系統下にある移送機器、漏洩液に対し、機器情報Ｆ２に予め記憶されている移送系統及び移送機器を比較することにより、一致する移送系統の漏洩停止手順を画面表示手段４を介して表示装置５に表示するとともに、確定された移送系統内の溶液保有量を機器情報Ｆ２に記憶されている移送機器の配置・形状、プロセス入力手段１からの移送機器の運転状態・流量、移送液の供給槽及び受け入れ槽の液位から計算して求め、漏洩停止手順と同時に確認できるように表示する漏洩停止手順表示手段Ｄ４とから構成されている。
【００２５】
次に、本実施形態の漏洩検出支援装置の漏洩検出支援の処理の流れを図２及び図５を参照して説明する。  
図２において、例えば、ブロックＢ４のポンプＰ１、またはバルブＶ１、またはタンクＳ１、またはブロックＢ４内の該当する系統配管での漏洩の可能性が高いと図５の漏洩表示確定手段Ｄ３において判断された場合、ポンプＰ１の停止、およびバルブＴＶ２、Ｖ１の“閉”の操作手順を画面表示手段４を介して表示装置５に表示する。また、図５の漏洩表示確定手段Ｄ３で確定した移送系統および移送系統下にある移送機器、漏洩液と図５の機器情報Ｆ２に記憶されている移送系統および移送機器を比較し、例えばタンクＴ１を含む、配管などの移送機器の配置・形状とタンクＴ１の液位から、移送系統内の溶液保有量を算出し、図５の画面表示手段４を介して表示装置５に表示する。機器により配置・形状が大きく異なる場合は、図５の機器情報Ｆ２に予め計算式を記憶させておき一定周期毎に計算し表示更新すると良い。通常、漏洩受け皿Ｕ１に設置される漏洩検出センサー２ＳＸには、液位計までは設置されない場合があり、どの程度の量の漏洩が考えられるのかを予め把握することにより、漏洩液回収の方法や漏洩の停止操作、漏洩液の回収のタイミングを判断する情報の提供が可能となる。
【００２６】
本実施形態によると、第２の実施形態で確定された漏洩の発生している移送系統およびその移送系統下にある移送機器、漏洩液と前記移送系統に関する漏洩停止手順を表示するとともに漏洩停止後の予想漏洩量を移送機器の配置・形状・運転状態・流量、移送液の供給槽及び受け入れ槽の液位・密度・温度から計算して求め、漏洩停止手順と確定された移送系統の溶液保有量を同時に確認できるように表示することができる。したがって、確定した漏洩系統の漏洩停止手段を表示することにより短時間で漏洩の停止操作が実施できる。また、漏洩系統の保有液量を算出し表示することにより短時間で漏洩回収のための、情報収集と判断ができる。
【００２７】
図６は、本発明の第４の実施形態である漏洩検出支援装置のブロック構成図である。  
本実施形態の漏洩検出支援装置２０が図５の第３の実施形態の漏洩検出支援装置と異なる構成は、復旧情報Ｆ４と漏洩復旧判定手段Ｄ５と漏洩復旧手順表示手段Ｄ６を有する漏洩復旧手順表示部Ｄ４０が追加された構成となっている点であり、その他の構成は図５の第３の実施形態と同一であるので、同一構成部分には同一符号を付して説明する。
【００２８】
図６において、本実施形態の漏洩復旧手順表示部Ｄ４０は、漏洩表示確定手段Ｄ３により確定された移送系統およびその移送系統下にある移送機器、漏洩液と、復旧情報Ｆ４に記憶されている、移送系統および移送機器、漏洩液を比較し、一致する漏洩液、漏洩液の処理に必要な処理溶液の液性・液量、供給槽、移送機器などの処理溶液情報と漏洩液を回収するための回収手順、回収槽・移送機器・移送能力を選択する漏洩復旧判定手段Ｄ５と、漏洩表示確定手段Ｄ３により確定された移送系統およびその移送系統下にある移送機器、漏洩液に関するプロセス入力手段１からの液位等のプロセス情報と前記処溶液情報、回収手順、回収槽・移送機器・移送能力、など漏洩液の回収に必要な情報を同時に確認できるように画面表示手段４を介して、表示装置５に表示する漏洩復旧手順表示手段Ｄ６とから構成されている。
【００２９】
次に、本実施形態の漏洩検出支援装置の漏洩検出支援の処理の流れを図２及び図６を参照して説明する。  
図２において、漏洩受け皿Ｕ１に漏洩した漏洩液は、例えばブロックＢ１のタンクＴＰ１からの中和溶Ｅ１の注入により中和などの処理を行った上で、回収先のブロックＢ５のタンクＴ４に回収する場合と、そのまま最終移送先のブロックＢ５のタンクＴ３に回収する場合が考えられる。これらは、漏洩した溶液の液性や量などにより異なるため、図６の漏洩表示確定手段Ｄ３により確定した、移送系統およびその移送系統下にある移送機器、漏洩液と、図６の復旧情報Ｆ４に記憶されている、移送系統、漏洩液を比較することにより、一致した漏洩液の処理に必要な処理溶液の液性・液量、供給槽、移送機器などの処理溶液情報を選択し、図６の漏洩復旧手順表示手段Ｄ６に通知する。図６の漏洩復旧手順表示手段Ｄ６では、例えば、ブロックＢ２のタンクＴＰ２からブロックＢ４のタンクＴ１へ揮発性溶液Ｅ２を移送中に漏洩が発生した場合、中和に使用する溶液がブロックＢ１のタンクＴＰ１内の溶液Ｅ１であること、およびその液性、保有量、移送方法、例えば、バルブＶＳ１“開“、およびプロセス入力手段１から入力されるセンサーＴＳ１からのタンクＴＰ１の液位、注入のためのバルブＴＶ１の状態などのプロセス情報を図６の画面表示手段４を介して、表示装置５に表示すると良い。また、中和後の漏洩液の回収先であるブロックＢ５のタンクＴ４へ移送するための手順としてバルブＶ６の“開”操作と、ポンプＰ４の“運転”などの手順およびバルブＶ６ポンプＰ４、センサーＳ３、センサーＳ４等のプロセス情報を同時に図４の表示装置５に表示すると良い。直接回収が可能な場合として、例えばブロックＢ５のタンクＴＰ３からタンクＴ２へ不揮発性溶液Ｅ３を移送中に漏洩が発生した場合、処理溶液情報は表示せず、タンクＴ４への回収手順として、バルブＶ６の“開”とポンプＰ４の“運転”を図６の表示装置５に表示すると良い。
【００３０】
本実施形態によると、第２の実施形態の漏洩情報表示部おいて確定された移送系統およびその移送系統下にある移送機器、漏洩液と、予め記憶された移送系統、移送機器または漏洩液を比較することにより、一致する漏洩液の処理に必要な処理溶液の液性・液量、供給槽、移送機器などの処理溶液情報と漏洩液を回収するための回収手順、回収槽・移送機器・移送能力及び、漏洩液の回収槽・移送機器・移送能力、など漏洩液の回収に必要な情報を同時に確認できるように表示する漏洩復旧手順表示手段を備えた漏洩復旧手順表示部を有する。したがって、漏洩発生後の中和などの漏洩液の処理に必要な処理溶液の液性・液量、供給槽、移送機器などの処理溶液情報と漏洩液を回収するための回収手順、回収槽・移送機器・移送能力などを表示することにより、短時間で漏洩液の回収に関する情報収集と判断が可能となり、漏洩液の回収時間を短縮できる。
【図面の簡単な説明】
【００３１】
【図１】本発明の第１の実施形態である漏洩検出支援装置のブロック構成図。
【図２】本発明による漏洩検出支援の処理の流れを示す概略図。
【図３】図２における移送中の系統の有無と漏洩検出センサーの検出の組み合わせで判断するケースを示す図。
【図４】本発明の第２の実施形態である漏洩検出支援装置のブロック構成図。
【図５】本発明の第３の実施形態である漏洩検出支援装置のブロック構成図。
【図６】本発明の第４の実施形態である漏洩検出支援装置のブロック構成図。
【図７】従来の漏洩検出支援装置のブロック構成図。
【符号の説明】
【００３２】
１…プロセス入力手段、２…警報判定手段、３…警報表示手段、４…画面表示手段、５…表示装置、１０…プロセス監視装置、２０…漏洩検出支援装置、Ｄ１…移送判定手段、Ｄ２…漏洩機器特定手段、Ｄ３…漏洩表示確定手段、Ｄ４…漏洩停止手順表示手段、Ｄ５…漏洩復旧判定手段、Ｄ６…漏洩復旧手順表示手段、Ｆ１…移送情報、Ｆ２…機器情報、Ｆ３…物質情報、Ｆ４…復旧情報、Ｄ１０…漏洩判断部、Ｄ２０…漏洩情報確定部、Ｄ３０…漏洩停止情報表示部、Ｄ４０…漏洩復旧手順表示部。
【図１】
2008139093.tif 000003
【図２】
2008139093.tif 000004
【図３】
2008139093.tif 000005
【図４】
2008139093.tif 000006
【図５】
2008139093.tif 000007
【図６】
2008139093.tif 000008
【図７】
2008139093.tif 000009